(57)【特許請求の範囲】
【請求項１】
ボールマーカーと、
前記ボールマーカーの被保持面を磁気吸着により表面に保持できる載置部を有し、該表面上で前記ボールマーカーを滑らせることにより着脱可能であるホルダーと、
前記ボールマーカーと前記ホルダーの少なくとも一方の内部に備えられる磁石と、
前記ボールマーカーの被保持面上及び前記載置部の表面上の少なくとも一方に設けられる保護膜と、を備えるゴルフマーカーセットであって、
開口部を形成する側面部と底面部を有する、前記磁石を収容するための鉄製皿部材が、前記磁石を備える前記ボールマーカーと前記ホルダーの少なくとも一方の内部の穴に備えられるが、前記皿部材が、前記開口部の面積が前記底面部の面積よりも小さくなるように前記側面部を傾斜させて、前記底面部から高さ方向に先細りする形状に形成され、前記穴も前記皿部材の形状に追従して先細りする形状に形成され、前記皿部材の先細り形状と前記穴の先細り形状が噛み合うことにより、前記皿部材が、該皿部材が備えられた前記ボールマーカー及び／又は前記ホルダーから脱離することを防止する、ゴルフマーカーセット。
【請求項２】
前記ボールマーカー及び前記ホルダーの一方に、前記磁石及び前記保護膜が設けられる、請求項１に記載のゴルフマーカーセット。
【請求項３】
前記磁石が、前記表面に露出するように前記ホルダーに備えられる、請求項１又は請求項２に記載のゴルフマーカーセット。
【請求項４】
前記磁石が、前記被保持面に露出するように前記ボールマーカーに備えられる、請求項１〜３のいずれか１つに記載のゴルフマーカーセット。
【請求項５】
前記ホルダーが、前記載置部とは反対側にクリップ部を有する、請求項１〜４のいずれか１つに記載のゴルフマーカーセット。
【請求項６】
前記ホルダーが、フォーク部を有する、請求項１〜５のいずれか１つに記載のゴルフマーカーセット。
【請求項７】
前記ホルダーが、前記表面の周縁部に該表面に対して突設したガイドを備える、請求項１〜６のいずれか１つに記載のゴルフマーカーセット。
【請求項８】
ボールマーカーの被保持面を磁気吸着により表面に保持できる載置部を有し、該表面上で前記ボールマーカーを滑らせることにより着脱可能であるホルダーと、
前記ホルダーの内部に備えられる磁石と、
前記載置部の表面上に設けられる保護膜と、を備えるゴルフマーカーセット用のホルダーであって、
前記ゴルフマーカーセットが、前記ボールマーカーと前記ホルダーを備え、
開口部を形成する側面部と底面部を有する、前記磁石を収容するための鉄製皿部材が、前記磁石を備える前記ホルダーの内部の穴に備えられるが、前記皿部材が、前記開口部の面積が前記底面部の面積よりも小さくなるように前記側面部を傾斜させて、前記底面部から高さ方向に先細りする形状に形成され、前記穴も前記皿部材の形状に追従して先細りする形状に形成され、前記皿部材の先細り形状と前記穴の先細り形状が噛み合うことにより、前記皿部材が、該皿部材が備えられた前記ホルダーから脱離することを防止する、ゴルフマーカーセット用のホルダー。
【請求項９】
ボールマーカーと、
前記ボールマーカーの内部に備えられる磁石と、
前記ボールマーカーの被保持面上に設けられる保護膜と、を備えるゴルフマーカーセット用のボールマーカーであって、
前記ゴルフマーカーセットが、前記ボールマーカーと前記ボールマーカーを保持するホルダーを備え、
開口部を形成する側面部と底面部を有する、前記磁石を収容するための鉄製皿部材が、前記磁石を備える前記ボールマーカーの内部の穴に備えられるが、前記皿部材が、前記開口部の面積が前記底面部の面積よりも小さくなるように前記側面部を傾斜させて、前記底面部から高さ方向に先細りする形状に形成され、前記穴も前記皿部材の形状に追従して先細りする形状に形成され、前記皿部材の先細り形状と前記穴の先細り形状が噛み合うことにより、前記皿部材が、該皿部材が備えられた前記ボールマーカーから脱離することを防止する、ゴルフマーカーセット用のゴルフマーカー。
【発明の詳細な説明】
【技術分野】
【０００１】
本発明は、ゴルフ競技において使用されるボールマーカーとこれを保持するホルダーとを含むゴルフマーカーセットに関する。
【背景技術】
【０００２】
従来から、グリーン上でボールに代わってその位置をマークするボールマーカーとして円盤状（コイン状）のものがよく使用されている。ゴルフプレーヤーは、プレー中にこのようなボールマーカーを携帯することになるが、ボールマーカーは比較的小型であることが多く、紛失しやすい上、必要なときにポケット等から取り出しにくいという面があった。
【０００３】
これに対して、ボールマーカーを携行品に取り付けて携帯することができるようにしたゴルフ用品が各種提案されている。
【０００４】
例えば、ボールマーカーを磁石を用いて磁気吸着により着脱可能に保持できようにし、クリップ等を介してゴルフプレーヤーの衣服や帽子に取り付けて携帯することができるようにしたホルダーが提案されている（例えば、特許文献１）。
【０００５】
また、ゴルフプレーヤーは、プレーによってグリーン上にできる芝生の凹みを補修する道具であるグリーンフォークを、ボールマーカーと共に携帯することが多い。このグリーンフォークの把持部の一部分を磁石で形成し、これをホルダーとして、ボールマーカーを保持でき、取り外しを容易にしたものも提案されている（例えば、特許文献２）。
【先行技術文献】
【特許文献】
【０００６】
【特許文献１】実開昭６１−９４０６２
【特許文献２】特開２００２−１０２４０３
【発明の概要】
【発明が解決しようとする課題】
【０００７】
ところで、磁気吸着によりホルダー上に保持されているボールマーカーをホルダーから取り外す際には、ボールマーカーをホルダー上で滑らせて引き剥がすことになる。また、ボールマーカーをホルダーに取り付ける際には、ボールマーカーをホルダー上に載せて磁気吸着させた後、ホルダーに安定して保持される位置までボールマーカーをホルダー上で滑らせる必要が生じる場合がある。このような着脱時に、ボールマーカーとホルダーとが擦れることでそれぞれの摺動面に傷が付くことがある。さらに、ボールマーカーとホルダーとを磁気吸着させるための磁石を、磁石表面がボールマーカーやホルダーの摺動面に露出するように埋設することがあり、このとき、ボールマーカーをホルダー上で滑らせると、磁石表面にも傷が付くことがある。傷が付くことで、ボールマーカー、ホルダーや磁石の地金が現れて錆びたり、ボールマーカーを滑らせるときの摩擦が大きくなって着脱時の使い勝手が悪くなったりするなど、製品寿命が短くなってしまうおそれがある。
【０００８】
また、磁石をその表面がボールマーカーやホルダーの摺動面に露出するように埋設する場合、ボールマーカーやホルダーの摺動面側に磁石の外縁に沿って溝や隙間が生じることがある。ボールマーカーはグリーン上に置いて使用するため砂や泥等の汚れが付着することがあり、その場合、ボールマーカーの着脱時などにその汚れがボールマーカーやホルダーの摺動面の溝に挟まったり入り込んだりすることがある。これによって溝に汚れが入っ
てしまいプレーヤーの衣類等や他のゴルフ用品を汚してしまうだけでなく、ボールマーカーの着脱時に、溝の砂や泥等によりボールマーカーやホルダーの摺動面や磁石表面に傷を付けてしまうおそれもある。
【０００９】
さらに、同様に磁石をその表面がボールマーカーやホルダーの摺動面に露出するように埋設する場合、ボールマーカーをホルダーから取り外すときに、磁石が磁気吸着したまま埋設位置から外れてしまうことがある。
【００１０】
そこで、本発明は上記問題点に鑑みてなされたものであり、ボールマーカーの着脱時にもボールマーカー及びホルダーに傷が付きにくく、磁石の埋設によって生じるボールマーカーやホルダーの摺動面の溝に汚れが入りにくい、また磁石が埋設位置から外れにくいゴルフマーカーセットの提供を目的とする。
【課題を解決するための手段】
【００１１】
すなわち本発明は、ボールマーカーと、前記ボールマーカーの被保持面を磁気吸着により表面に保持できる載置部を有し、該表面上で前記ボールマーカーを滑らせることにより着脱可能であるホルダーと、前記ボールマーカーと前記ホルダーの少なくとも一方の内部に備えられる磁石と、前記ボールマーカーの被保持面上及び前記載置部の表面上の少なくとも一方に設けられる保護膜と、を備えるゴルフマーカーセットを提供する。
【発明の効果】
【００１２】
本発明に係るゴルフマーカーセットによれば、ボールマーカーと、前記ボールマーカーの被保持面を磁気吸着により表面に保持できる載置部を有し、該表面上で前記ボールマーカーを滑らせることにより着脱可能であるホルダーと、前記ボールマーカーと前記ホルダーの少なくとも一方の内部に備えられる磁石と、前記ボールマーカーの被保持面上及び前記載置部の表面上の少なくとも一方に設けられる保護膜と、を備える構成であるため、ボールマーカーの着脱時にもボールマーカー及びホルダーに傷が付きにくくすることができ、また、磁石の埋設によってボールマーカーやホルダーの摺動面に溝が生じたとしてもその溝に汚れが入りにくくでき、さらに、磁石が埋設位置から外れにくいゴルフマーカーセットを提供することが可能となる。
【図面の簡単な説明】
【００１３】
【図１】本発明の一実施形態によるゴルフマーカーセットのボールマーカーとホルダーとを示す斜視図である。
【図２】図１に示すゴルフマーカーセットのＡ−Ａ断面図である。
【図３】本発明の他の実施形態によるゴルフマーカーセットのボールマーカーを示す斜視図である。
【図４】図３に示すボールマーカーのＢ−Ｂ断面図である。
【図５】本発明のさらに他の実施形態によるゴルフマーカーセットのホルダーを示す斜視図である。
【発明を実施するための形態】
【００１４】
本発明のゴルフマーカーセットは、ボールマーカーと、ボールマーカーの被保持面を磁気吸着により表面に保持できる載置部を有し、該表面上でボールマーカーを滑らせることにより着脱可能であるホルダーと、ボールマーカーとホルダーの少なくとも一方の内部に備えられる磁石と、ボールマーカーの被保持面上及び載置部の表面上の少なくとも一方に設けられる保護膜と、を備えるようにしたものである。
【００１５】
ボールマーカーは、任意の形状とすることができ、好ましくは、携帯性が良くホルダーに着脱容易な円盤状である。ボールマーカーの直径は、直径２５ｍｍのコインをマーカー
に使用していた慣習から１５ｍｍ〜３５ｍｍが好ましく、ボールマーカーの厚みは２ｍｍ程度が好ましいが、これらに特に限定されない。
【００１６】
ボールマーカーは、ホルダーの載置部の表面に保持される被保持面を有する被保持部を有する。被保持面は、ボールマーカーの１つの表面、例えば円盤状のボールマーカーの片面であり、載置部の表面を滑らせて着脱可能となるように滑らかな面であることが好ましい。ボールマーカーの被保持面の材質には、耐水性、耐候性を有するものから任意に選択して用いることができ、特に限定されないが、磁石との吸着がよい鉄が好ましい。
ボールマーカーはさらに、ボールマーカーの他の表面であって、好ましくは被保持面とは反対側の面に装飾面を備えてもよい。装飾面は、特に限定されないが、プレーヤー間でボールマーカーの取り違えがないように識別性を持たせたり、グリーン上に置いたときにプレーヤーがボールマーカーの位置を視認しやすいように構成することができる。
【００１７】
ホルダーは、ホルダー本体と、該ホルダー本体上に設けられボールマーカーの被保持面を保持する表面を有する載置部とを有する。該表面は、ボールマーカーを、プレーヤーの動作やプレー中の移動等で生じる衝撃によって脱落しない程度に安定して保持できるように、その少なくとも一部分が平坦な面で構成されることが好ましい。さらに該表面は、保持したボールマーカーをその表面上で滑らせて着脱可能であるように構成され、滑らかな面であることが好ましい。載置部の表面の形状は、ボールマーカーの被保持面を保持できる任意の形状とすることができる。また、該表面の寸法は、保持時に安定性が得られ着脱が可能である任意の寸法とすることができる。
【００１８】
ホルダーにはさらに、ボールマーカーをホルダーに取り付ける時にはボールマーカーの被保持面をホルダーの載置部の表面上に容易に収めることができるようにし、ボールマーカーを保持している間はボールマーカーを載置部の表面上からずれにくくするガイドを備えてもよい。ガイドは、ホルダーの載置部の表面の周縁部に、該表面に対して突設することができ、好ましくは、該表面に対して略垂直に突設することができる。周縁部に沿ったガイドの長さは、ボールマーカーの着脱が可能な任意の長さとすることができ、特に限定はされないが、周縁部の全周の半分以下の長さで連続する凸部として設けることができる。ガイドは、ホルダー本体と一体に成形してもよく、ホルダーの載置部と一体に成形してもよく、またホルダー本体や載置部に対して接着剤等を用いて別部材を取り付けてもよい。
【００１９】
ホルダーの材質には、耐水性、耐候性を有するものから任意に選択して用いることができ、金属であることが好ましい。金属としては、特に限定はされないが、例えば、真鍮、鉄、鋼鉄及びステンレス等が含まれる。
【００２０】
ホルダーは、好ましくは、衣服や帽子等に挟着可能なクリップ若しくはグリーンフォーク又はその両方として構成されるが、プレー中の携帯が可能なものであってボールマーカーを着脱可能に保持できるものであれば他のものであってもよい。
【００２１】
ホルダーをクリップとして構成する場合、ホルダーは、載置部とは反対側にクリップ部を有する構成とすることが好ましい。該クリップ部は、プレーヤーの衣類や帽子等に挟着可能であって、ホルダーとこれに保持されたボールマーカーを支持可能に構成され、ボールマーカーの取り外し時にも衣類等から容易には外れないように構成されることが好ましい。クリップ部の材質は、任意の材質とすることができ、特に限定はされないが、錆びにくく適度な弾性を有するステンレスや鋼鉄が好ましい。また、クリップ部は、ホルダー本体と一体に成形してもよく、載置部と一体に成形してもよく、またホルダー本体や載置部に対して接着剤等を用いて別部材を取り付けてもよい。
【００２２】
ホルダーをグリーンフォークとして構成する場合、ホルダーは、フォーク部を有する構成とすることが好ましく、ホルダー本体又は載置部から突出するフォーク部を有する構成とすることがより好ましい。該フォーク部は、芝生の根を傷めにくいように二股又は三股のフォーク状に形成されるのが好ましい。また、グリーンフォークとして使用する際に把持しやすく、芝生の凹みを補修しやすいように、フォーク部に湾曲を設けてもよい。フォーク部の材質は、任意の材質とすることができる。また、フォーク部は、ホルダー本体と一体に成形してもよく、載置部と一体に成形してもよく、またホルダー本体や載置部に対して接着剤等を用いて別部材を取り付けてもよい。
【００２３】
ボールマーカーをホルダーに保持する磁気吸着機構は、ボールマーカー及びホルダーの一方に磁石を備え、他方に鉄などの磁性体を配して、或いは、ボールマーカー及びホルダーの両方に磁石を逆の極性が対向するように配して、互いに磁気吸着するように構成することができる。製造工程を簡素化でき、又はコストを抑えられるように、ボールマーカー及びホルダーの一方に磁石を備え、他方に磁性体を備えることが好ましい。また、磁石がグリーン等に置かれて傷付いたり錆びたりしない点において、磁石はホルダーに備えられることが好ましい。磁石の形状、数量及び配置は、ボールマーカーがホルダーに吸着して保持可能となるように任意に設定することができる。
【００２４】
磁性体は、ボールマーカーに配する場合、ボールマーカー被保持面の一部を磁性体で構成してもよいし、被保持面を磁性体で形成してもよく、ホルダーに配する場合、ホルダーの載置部の表面の一部を磁性体で構成してもよいし、表面を磁性体で形成してもよい。
【００２５】
磁石は、長期にわたってボールマーカーをホルダーに保持できるような永久磁石であることが好ましく、特に限定はされないが、ネオジム磁石等の希土類磁石、アルニコ磁石、フェライト磁石等を用いることができる。また、磁性体は、より具体的には強磁性体を用いるが、例えば鉄を用いることができ、これに限定されない。
【００２６】
以下、磁石をホルダーに備える場合について説明する。磁石は、好ましくは、ホルダーの載置部の内部に埋設される。磁石の吸着力を遮らないよう、磁石が載置部の表面に露出するように埋設することが好ましく、載置部表面の中央に露出するように埋設することがより好ましい。そして磁石は、露出した磁石の上面がホルダーの載置部の表面と面一となって載置部の表面の一部を構成するように埋設されることが好ましい。
【００２７】
磁石は、好ましくは、皿部材に収容されて載置部の内部に配置される。そのため載置部には、皿部材を収める穴が設けられる。
皿部材は、開口部を形成する側面部と底面部を有し、該側面部は底面部から立ち上がるように形成される。該側面部は、これに収容する磁石の寸法と略同寸法の開口部を形成することが好ましい。皿部材は、好ましくは、開口部の面積が底面部の面積よりも小さくなるよう側面部を傾斜させ、底面部から高さ方向に先細りになる形状に形成され、例えば、テーパー状に形成される。皿部材は任意の材質とすることができ、特に限定はされないが、磁石と磁気吸着して磁石の固定を助けて磁石を外れにくくし、ボールマーカーとホルダーとの磁気吸着機構で働く磁力を高めることができる鉄が好ましい。
一方、載置部に設けられる穴は、皿部材を内部に嵌め込むことができる形状に形成され、加工の容易性から載置部の表面からホルダー本体に達して載置部を貫通する穴として形成することが好ましい。さらに、この載置部の穴は、好ましくは皿部材の形状に追従して載置部のホルダー本体側から載置部の表面に向かって先細る形状に形成され、例えばテーパー状に形成される。
【００２８】
したがって、磁石をホルダーに備える場合、ホルダー本体上には、磁石を収容した皿部材を内部に備えた載置部が配置される。載置部は、特に限定されないが、接着剤等でホル
ダー本体に固定される。皿部材はホルダー本体や載置部に、磁石は皿部材に、接着剤等で固定することもできる。
【００２９】
皿部材及び載置部の穴が上記のように載置部表面に向かって先細り形状に形成される場合、ボールマーカーをホルダーから取り外すときに磁石の磁気吸着力が強くても、ホルダー本体に固定された載置部の穴の先細り形状と皿部材の先細り形状が噛み合うことにより、皿部材が、該皿部材が備えられたホルダー及び載置部から脱離することを防止することができる。
【００３０】
次に、磁石をボールマーカーに備える場合について説明する。磁石は、好ましくは、ボールマーカーの被保持部の内部に埋設される。また、磁石の吸着力を遮らないよう、磁石がボールマーカーの被保持面に露出するように埋設することが好ましく、被保持面の中央に露出するように埋設することがより好ましい。そして磁石は、露出した磁石の上面が被保持面と面一となって被保持面の一部を構成するように埋設されることが好ましい。
【００３１】
磁石は、好ましくは、皿部材に収容されて被保持部の内部に配置される。そのため被保持部には、皿部材を収める穴が設けられる。
皿部材は、開口部を形成する側面部と底面部を有し、該側面部は底面部から立ち上がるように形成される。該側面部は、これに収容する磁石の寸法と略同寸法の開口部を形成することが好ましい。皿部材は、好ましくは、開口部の面積が底面部の面積よりも小さくなるよう側面部を傾斜させ、底面部から高さ方向に先細りになる形状に形成され、例えば、テーパー状に形成される。皿部材は任意の材質とすることができ、特に限定はされないが、磁石と磁気吸着して磁石の固定を助けて磁石を外れにくくし、ボールマーカーとホルダーとの磁気吸着機構で働く磁力を高めることができる鉄が好ましい。
一方、ボールマーカーの被保持部に設けられる穴は、皿部材を内部に嵌め込むことができる形状に形成され、加工の容易性から被保持面からボールマーカー本体に達して被保持部を貫通する穴として形成することが好ましい。さらに、このボールマーカーの穴は、好ましくは皿部材の形状に追従して被保持部のボールマーカー本体側から被保持面に向かって先細る形状に形成され、例えばテーパー状に形成される。
【００３２】
したがって、磁石をボールマーカーに備える場合、ボールマーカー本体上には、磁石を収容した皿部材を内部に備えた被保持部が配置される。被保持部は、特に限定されないが、接着剤等でボールマーカー本体に固定される。皿部材はボールマーカー本体や被保持部に、磁石は皿部材に、接着剤等で固定することもできる。
【００３３】
皿部材及び被保持部の穴が上記のように被保持面に向かって先細り形状に形成される場合、ボールマーカーをホルダーから取り外すときに磁石の磁気吸着力が強くても、ボールマーカー本体に固定された被保持部の穴の先細り形状と皿部材の先細り形状が噛み合うことにより、皿部材が、該皿部材が備えられたボールマーカー及び被保持部から脱離することを防止することができる。
【００３４】
ボールマーカーの被保持面上及びホルダーの載置部の表面上の少なくとも一方には、ボールマーカーの着脱時における摺動からボールマーカーの被保持面とホルダーの載置部の表面を保護するための保護膜が設けられている。保護膜は、ボールマーカーの被保持面上及びホルダーの載置部の表面上の一方に設けてもよく、両方に設けてもよい。好ましくは、保護膜は、ボールマーカーに磁石が備えられていればボールマーカーに、ホルダーに磁石が備えられていればホルダーに、両方に磁石が備えられていればその両方に、設けられる。より好ましくは、ボールマーカー及びホルダーの一方に磁石及び保護膜が設けられる。
【００３５】
保護膜は、ボールマーカーに設けられる場合、ホールマーカーの被保持面上に設けられる。保護膜は、被保持面の少なくとも一部を覆うように設けられ、好ましくは、ボールマーカーの着脱時に接することとなる被保持面の全面を覆うように設けられる。ボールマーカーの被保持面側に磁石上面が露出するように磁石が埋設されている場合は、被保持面上に設けられる保護膜は磁石上面をも覆うように設けられることになる。
【００３６】
一方、保護膜は、ホルダーに設けられる場合、ホルダーの載置部の表面上に設けられる。保護膜は、載置部の表面の少なくとも一部を覆うように設けられ、好ましくは、ボールマーカーの着脱時に接することとなる載置部の表面の全面を覆うように設けられる。ホルダーの載置部の表面に磁石上面が露出するように磁石が埋設されている場合は、該表面上に設けられる保護膜は、磁石上面をも覆うように設けられることになる。
【００３７】
このように保護膜を設けることによって、ボールマーカーの着脱時にもボールマーカー及びホルダーに傷が付きにくくすることができる。さらに、埋設した磁石の露出面上に保護膜を設けることで、露出面の外縁に生じる溝（隙間）に汚れが入りにくくすることができる。さらに、磁石を埋設した面の上に保護膜を設けることで、ボールマーカーの取り外し時に磁石を埋設位置から外れにくくすることができる。
【００３８】
保護膜は、ボールマーカーの着脱時にボールマーカー又はホルダーと擦っても破れにくい等の耐久性を有し、また着脱時の動作を妨げないような滑らかな材質であれば任意の材質とすることができ、特に限定されないが、好ましくはポリエチレンテレフタレート（ＰＥＴ）等のポリエステルである。
保護膜の厚みは、着脱時にボールマーカー及びホルダーが保護膜に引っかからず、磁気吸着を阻外しにくい任意の厚みに設定することができ、特に限定されないが、好ましくは０．１ｍｍである。
【００３９】
保護膜は、ボールマーカーの着脱時にもずれたり剥がれたりすることのない耐久性と、プレー環境や保存環境においても劣化の小さい耐候性や耐水性等を有する任意の方法でボールマーカー及びホルダーの少なくとも一方に取り付けることができ、特に限定されないが、接着剤等によって取り付けることができる。
【００４０】
本発明の一実施形態を図１及び２を参照しながら説明する。図１は、本実施形態によるゴルフマーカーセットのボールマーカーとホルダーとを示す斜視図であり、図２は、図１に示すゴルフマーカーセットのＡ−Ａ断面図である。
【００４１】
図１の例では、ゴルフマーカーセット１は、円盤状のボールマーカー２と、ホルダー４と、を備えている。ホルダー４は、ホルダー本体５と、ホルダー本体５上に設けられボールマーカー２の被保持面３を磁気吸着により表面６に保持できる載置部７を有し、該表面６上でボールマーカー２を滑らせることにより着脱可能に構成されている。
【００４２】
ボールマーカー２の被保持面３は、平滑面であり、強磁性体で成形されている。ボールマーカー２の被保持面側とは反対側であるプレーヤーの目に触れる面には装飾面が設けられている。
ホルダー４の載置部７は、平坦な円形状の表面６を有している。載置部７には、表面６の中央に開口する、載置部７の表面６からホルダー本体５に達して載置部７を貫通する穴が設けられている。該穴は、ホルダー本体側から表面６に向かって先細るテーパー状に形成されている。表面６の周縁部には、その全周の半分の長さに亘って連続的に突設され、ホルダー本体５と一体に成形されたガイド８が設けられている。載置部７とは反対側には、衣類等にホルダー４を挟着させるためのクリップ部１２が備えられている。
【００４３】
載置部７の穴には、穴と略同寸同形状であり先細りテーパー状に形成された皿部材９が嵌入され、皿部材９には、円柱形状の磁石１０が収容されている。これにより、穴の先細り形状と皿部材９の先細り形状が噛み合うことにより、ボールマーカーの着脱時における皿部材９の脱離が防止できる。
さらに、ホルダーの表面６上には、保護膜１１が取り付けられている。
【００４４】
本実施形態にかかるゴルフマーカーセット１であれば、保護膜１１がホルダー４の表面６上に取り付けられているので、ボールマーカー２の着脱時にボールマーカー２の被保持面３とホルダー４の表面６が直接接触しなくなり、ボールマーカー２を表面６上で滑らせてもそれぞれの摺動面に傷が付きにくくなる。さらに、磁石１０を埋設したホルダー４の表面６上に保護膜１１が取り付けられているので、磁石１０の埋設によって表面６に生じる磁石１０と皿部材９と載置部７とのそれぞれの間の溝（隙間）も保護膜１１に覆われており、溝に砂や泥等の汚れが入りにくくなる。さらに、磁石１０を埋設したホルダー４の表面６上に保護膜１１が取り付けられているので、ボールマーカー２の取り外し時に磁石１０が埋設位置から外れにくくなる。
【００４５】
本発明の他の実施形態を図３を参照しながら説明する。図３は、本実施形態によるゴルフマーカーセットのボールマーカーを示す斜視図であり、図４は、図３に示すボールマーカーのＢ−Ｂ断面図である。本実施形態では、磁石３０が埋設され、保護膜３１が取り付けられたボールマーカー２２を示している。
図３の例では、円盤状のボールマーカー２２は、平滑な被保持面２３を有する被保持部を有している。ボールマーカー２２の被保持面側とは反対側には、ボールマーカー本体２５が設けられている。被保持部には、被保持面２３の中央に開口する、被保持面２３からボールマーカー本体２５に達して被保持部を貫通する穴が設けられている。該穴は、ボールマーカー本体側から被保持面２３に向かって先細るテーパー状に形成されている。
【００４６】
ボールマーカー２２の被保持部の穴には、穴と略同寸同形状であり先細りテーパー状に形成された皿部材２９が嵌入され、皿部材２９には、円柱形状の磁石３０が収容されている。これにより、穴の先細り形状と皿部材２９の先細り形状が噛み合うことにより、ボールマーカーの着脱時における皿部材２９の脱離が防止できる。
さらに、被保持面２３上には、保護膜３１が取り付けられている。
【００４７】
このボールマーカー２２を保持するホルダーには、図１に示すホルダー４と同様のホルダーであって、穴、皿部材９、磁石１０及び保護膜１１を備えないものを組み合わせてもよいし、図１に示すホルダー４と同様のホルダーであって、磁石１０をボールマーカー２２の磁石２８と逆の極性が対向するように配したものを組み合わせてもよい。
【００４８】
本実施形態によれば、保護膜３１がボールマーカー２２の被保持面２３上に取り付けられているので、ボールマーカー２２の着脱時にボールマーカー２２の被保持面２３とホルダーの載置部の表面が直接接触しなくなり、ボールマーカー２２を該表面上で滑らせてもそれぞれの摺動面に傷が付きにくくなる。さらに、磁石３０を埋設したボールマーカー２２の被保持面２３上に保護膜３１が取り付けられているので、磁石３０の埋設によって被保持面２３に生じる磁石３０と皿部材２９と被保持部とのそれぞれの間の溝（隙間）も保護膜３１に覆われており、溝に砂や泥等の汚れが入りにくくなる。さらに、磁石３０を埋設したボールマーカー２２の被保持面２３上に保護膜３１が取り付けられているので、ボールマーカー２２の取り外し時に磁石３０が埋設位置から外れにくくなる。
【００４９】
本発明のさらに他の実施形態を図５を参照しながら説明する。図５は、本実施形態によるゴルフマーカーセットのホルダーを示す斜視図である。
図５の例では、ホルダー４４は、ホルダー本体４５と、ホルダー本体４５上に設けられ
平坦な円形状の表面４６を有する載置部４７を有している。載置部４７には、表面４６の中央に開口する、載置部４７の表面４６からホルダー本体４５に達して載置部４７を貫通する穴が設けられている。該穴は、ホルダー本体側から表面４６に向かって先細るテーパー状に形成されている。表面４６の周縁部には、その全周の半分の長さに亘って連続的に突設され、載置部４７と一体の成形されたガイド４８が設けられている。ホルダー４４は、ホルダー本体４５から突出するフォーク部５３を有し、グリーンフォークとして構成されている。
【００５０】
載置部４７の穴には、穴と略同寸同形状であり先細りテーパー状に形成された皿部材４９が嵌入され、皿部材４９には、円柱形状の磁石５０が埋設されている。これにより、穴の先細り形状と皿部材４９の先細り形状が噛み合うことにより、ボールマーカーの着脱時における皿部材４９の脱離が防止できる。
さらに、ホルダーの表面４６上には、保護膜５１が取り付けられている。
【００５１】
このホルダー４４に保持させるボールマーカーとしては、図１に示したボールマーカー２を組み合わせてもよいし、図３に示したボールマーカー２２と同様のボールマーカーであって、磁石２８をホルダー４４の磁石５０と逆の極性が対向するように配したボールマーカーを組み合わせてもよい。
【００５２】
本実施形態によれば、保護膜５１がホルダー４４の表面４６上に取り付けられているので、ボールマーカーの着脱時にボールマーカーの被保持面とホルダー４４の表面４６が直接接触しなくなり、ボールマーカーを表面４６上で滑らせてもそれぞれの摺動面に傷が付きにくくなる。さらに、磁石５０を埋設したホルダー４４の表面４６上に保護膜５１が取り付けられているので、磁石５０の埋設によって表面４６に生じる磁石５０と皿部材４９と載置部４７とのそれぞれの間の溝（隙間）も保護膜５１に覆われており、溝に砂や泥等の汚れが入りにくくなる。さらに、磁石５０を埋設したホルダー４４の表面４６上に保護膜５１が取り付けられているので、ボールマーカーの取り外し時に磁石５０が埋設位置から外れにくくなる。
【符号の説明】
【００５３】
１  ゴルフマーカーセット
２，２２  ボールマーカー
３，２３  被保持面
４，４４  ホルダー
５，４５  ホルダー本体
２５  ボールマーカー本体
６，４６  表面
７，４７  載置部
８，４８  ガイド
９，２９，４９  皿部材
１０，３０，５０  磁石
１１，３１，５１  保護膜
１２  クリップ部
５３  フォーク部
【図１】
0005959237.tif 000002
【図２】
0005959237.tif 000003
【図３】
0005959237.tif 000004
【図４】
0005959237.tif 000005
【図５】
0005959237.tif 000006